(57)【要約】  本開示の一態様に係るユーザ端末は、周波数領域に関連するスロットフォーマットを指示する指示情報を、複数の周波数領域に関して含む下り制御情報を受信する受信部と、前記指示情報に対応する周波数領域を特定し、当該特定した周波数領域において用いられる伝送方向を、前記指示情報が指示するスロットフォーマットに従って判断する制御部と、を有することを特徴とする。本開示の一態様によれば、複数の周波数領域を用いる場合であっても、各領域に対応するスロットフォーマットを適切に判断できる。
2019135287.tif 000002
【特許請求の範囲】
【請求項１】
周波数領域に関連するスロットフォーマットを指示する指示情報を、複数の周波数領域に関して含む下り制御情報を受信する受信部と、
前記指示情報に対応する周波数領域を特定し、当該特定した周波数領域において用いられる伝送方向を、前記指示情報が指示するスロットフォーマットに従って判断する制御部と、を有することを特徴とするユーザ端末。
【請求項２】
前記下り制御情報は、サービングセル内のユーザ端末に関連付けられた前記指示情報を含むことを特徴とする請求項１に記載のユーザ端末。
【請求項３】
前記下り制御情報は、サービングセル内のキャリアに関連付けられた前記指示情報を含むことを特徴とする請求項１又は請求項２に記載のユーザ端末。
【請求項４】
前記制御部は、前記下り制御情報に含まれる特定の前記指示情報がサービングセル内のユーザ端末に関連付けられるか当該セル内のキャリアに関連付けられるかを上位レイヤシグナリングの設定に基づいて判断することを特徴とする請求項１から請求項３のいずれかに記載のユーザ端末。
【請求項５】
前記下り制御情報は、帯域幅部分（ＢＷＰ：BandWidth  Part）に関連付けられた前記指示情報を含むことを特徴とする請求項１から請求項４のいずれかに記載のユーザ端末。
【請求項６】
周波数領域に関連するスロットフォーマットを指示する指示情報を、複数の周波数領域に関して含む下り制御情報を受信するステップと、
前記指示情報に対応する周波数領域を特定し、当該特定した周波数領域において用いられる伝送方向を、前記指示情報が指示するスロットフォーマットに従って判断するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、１ｍｓのサブフレームをスケジューリング単位として、下りリンク（ＤＬ：Downlink）及び／又は上りリンク（ＵＬ：Uplink）の通信が行われる。当該サブフレームは、例えば、通常サイクリックプレフィックス（ＮＣＰ：Normal  Cyclic  Prefix）の場合、サブキャリア間隔１５ｋＨｚの１４シンボルで構成される。当該サブフレームは、伝送時間間隔（ＴＴＩ：Transmission  Time  Interval）などとも呼ばれる。【０００５】
また、既存のＬＴＥシステムでは、時間分割複信（ＴＤＤ：Time  Division  Duplex）及び／又は周波数分割複信（ＦＤＤ：Frequency  Division  Duplex）がサポートされる。ＴＤＤでは、無線フレーム内の各サブフレームの伝送方向（ＵＬ及び／又はＤＬ）を定めたＵＬ／ＤＬ構成（UL/DL  configuration）に基づいて、各サブフレームの伝送方向が準静的に制御される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（以下、単にＮＲとも表記する）では、データ送受信のスケジューリング単位として、既存のＬＴＥシステムのサブフレームとは異なる時間単位（time  unit）を利用することが検討されている。当該時間単位は、例えば、スロット、ミニスロットなどであってもよい。また、当該時間単位において、シンボルごとの伝送方向（ＵＬ又はＤＬ）を動的に制御することも検討されている。【０００８】
ところで、ＮＲでは、ＵＥが複数の周波数領域を同時に及び／又は切り替えて用いることが検討されている。例えば、ＵＥは１つ又は複数のコンポーネントキャリア（ＣＣ：Component  Carrier）を用いるように設定されてもよいし、ＣＣに含まれる１つ又は複数の帯域幅部分（ＢＷＰ：BandWidth  Part）を用いるように設定されてもよい。ここで、ＢＷＰは、ＮＲにおいて設定されるＣＣ内の、１つ以上の部分的な周波数帯域に該当する。ＢＷＰは、部分周波数帯域、部分帯域などと呼ばれてもよい。【０００９】
しかしながら、このような複数の周波数領域を用いる場合に、各領域に対応するスロットフォーマットをどのように判断するかについては、まだ検討が進んでいない。適切なスロットフォーマット判断方法を用いなければ、ＵＥが伝送方向を誤って判断してしまい、通信スループット、周波数利用効率などの劣化が生じるおそれがある。【００１０】
そこで、本開示は、複数の周波数領域を用いる場合であっても、各領域に対応するスロットフォーマットを適切に判断できるユーザ端末及び無線通信方法を提供することを目的の１つとする。
【課題を解決するための手段】
【００１１】
本開示の一態様に係るユーザ端末は、周波数領域に関連するスロットフォーマットを指示する指示情報を、複数の周波数領域に関して含む下り制御情報を受信する受信部と、前記指示情報に対応する周波数領域を特定し、当該特定した周波数領域において用いられる伝送方向を、前記指示情報が指示するスロットフォーマットに従って判断する制御部と、を有することを特徴とする。
【発明の効果】
【００１２】
本開示の一態様によれば、複数の周波数領域を用いる場合であっても、各領域に対応するスロットフォーマットを適切に判断できる。
【図面の簡単な説明】
【００１３】
【図１】図１は、ＳＦＩ用ＤＣＩフォーマットに基づく制御の一例を示す図である。
【図２】図２は、第１の実施形態に係るＳＦＩ用ＤＣＩフォーマットの構成の一例を示す図である。
【図３】図３は、第２の実施形態に係るＳＦＩ用ＤＣＩフォーマットの構成の一例を示す図である。
【図４】図４は、第３の実施形態に係るＳＦＩ用ＤＣＩフォーマットの構成の一例を示す図である。
【図５】図５は、第２の実施形態の変形例に係るＳＦＩ用ＤＣＩフォーマットの構成の一例を示す図である。
【図６】図６は、一実施形態に係る無線通信システムの概略構成の一例を示す図である。
【図７】図７は、一実施形態に係る無線基地局の全体構成の一例を示す図である。
【図８】図８は、一実施形態に係る無線基地局の機能構成の一例を示す図である。
【図９】図９は、一実施形態に係るユーザ端末の全体構成の一例を示す図である。
【図１０】図１０は、一実施形態に係るユーザ端末の機能構成の一例を示す図である。
【図１１】図１１は、一実施形態に係る無線基地局及びユーザ端末のハードウェア構成の一例を示す図である。
【発明を実施するための形態】
【００１４】
ＮＲでは、データチャネルのスケジューリング単位として、所定の時間単位（例えば、スロット）を利用することが合意されている。なお、データチャネルは、ＤＬデータチャネル（例えば、ＰＤＳＣＨ（Physical  Downlink  Shared  Channel））、ＵＬデータチャネル（例えば、ＰＵＳＣＨ（Physical  Uplink  Shared  Channel））などを含んでもよい。
【００１５】
１スロットあたりのシンボル数は、例えば７又は１４シンボルであってもよい。スロットは、ユーザ端末が適用するニューメロロジー（例えば、サブキャリア間隔及び／又はシンボル長）に基づく時間単位であってもよい。１スロットあたりのシンボル数は、サブキャリア間隔に応じて定められてもよい。
【００１６】
また、ＮＲでは、スロットに含まれるシンボルごとの伝送方向（ＵＬ、ＤＬ及びフレキシブルの少なくとも１つ）を動的に制御することが想定される。例えば、ユーザ端末（ＵＥ：User  Equipment）に対して、１つ以上のスロットのフォーマットに関する情報（スロットフォーマット関連情報（ＳＦＩ：Slot  Format  related  Information又はSlot  Format  Indicator）などともいう）が所定周期で通知されることが検討されている。
【００１７】
当該ＳＦＩは、下り制御チャネル（例えば、グループコモンＰＤＣＣＨ（Physical  Downlink  Control  Channel））により送信されるスロットフォーマット通知用の下り制御情報（ＤＣＩ：Downlink  Control  Information）に含まれてもよい。スロットフォーマット通知用のＤＣＩは、データのスケジューリングに利用されるＤＣＩとは別に定義されてもよい。
【００１８】
スロットフォーマット通知用のＤＣＩは、ＳＦＩ用ＤＣＩフォーマット、ＤＣＩフォーマット２＿０、ＤＣＩフォーマット２Ａ、ＤＣＩフォーマット２、ＳＦＩ−ＰＤＣＣＨ、ＳＦＩ−ＤＣＩなどと呼ばれてもよい。なお、「ＤＣＩフォーマット」は、「ＤＣＩ」と互換的に用いられてもよい。
【００１９】
ＵＥは、所定周期ごとのスロットに対してＳＦＩ用ＤＣＩフォーマットのモニタリングを行ってもよい。ＳＦＩ用ＤＣＩフォーマットをモニタする周期（ＳＦＩモニタリング周期などと呼ばれてもよい）は、上位レイヤシグナリングなどを用いて基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）からＵＥにあらかじめ通知されてもよい。
【００２０】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２１】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００２２】
ＵＥが所定スロット（ｍＴＳＦＩ）においてＳＦＩ用ＤＣＩフォーマットを検出した場合、少なくとも当該ＤＣＩに基づいてサービングセルにおける各スロット｛ｍＴＳＦＩ、ｍＴＳＦＩ＋１、…、（ｍ＋１）ＴＳＦＩ−１｝のスロットフォーマットを判断する。ここで、ｍは任意の整数であってもよく、ＳＦＩ用ＤＣＩフォーマットのモニタリング時間インデックス（例えば、無線フレーム内においてＳＦＩ用ＤＣＩフォーマットをモニタするスロット番号）であってもよい。ＴＳＦＩは、ＳＦＩのモニタリング周期に関するパラメータ（SFI-monitoring-periodicity）に相当し、上位レイヤシグナリングによってＵＥに設定されてもよい。
【００２３】
例えば、ＵＥは、上位レイヤシグナリングによって通知されるパラメータに従ってスロットフォーマット通知用ＤＣＩのモニタリングを行う。当該パラメータとしては、当該ＤＣＩの巡回冗長検査（ＣＲＣ：Cyclic  Redundancy  Check）ビットをマスキングする無線ネットワーク一時識別子（ＲＮＴＩ：Radio  Network  Temporary  Identifier）（例えば、ＳＦＩ−ＲＮＴＩ）、当該ＤＣＩのペイロード（ＣＲＣを除く又はＣＲＣを含む情報ビット数）、ブラインド検出を行うＰＤＣＣＨアグリゲーションレベル、当該ＰＤＣＣＨアグリゲーションレベルにおけるブラインド検出候補数、そして当該セル（キャリア）に対するスロットフォーマット通知用ＤＣＩをモニタリングするセル（例えば、cell-to-SFI）、などを含めることができる。
【００２４】
ＵＥは、これらのパラメータの少なくとも１つに従ってスロットフォーマット通知用ＤＣＩをモニタリングし、当該ＤＣＩが検出された場合には、当該ＤＣＩに含まれる特定のフィールドによって指定される値に基づいて、各スロットのフォーマットを判断してもよい。当該特定のフィールドは、ＳＦＩフィールドと呼ばれてもよい。
【００２５】
ＵＥは、基地局から設定されるパラメータに基づいて、ＳＦＩ用ＤＣＩフォーマットの受信処理（例えば、モニタリング周期など）を制御する。
【００２６】
図１は、ＳＦＩ用ＤＣＩフォーマットに基づく制御の一例を示す図である。本例においては、ＴＳＦＩ＝５スロットと想定する。ＵＥは、スロット＃１においてＳＦＩ用ＤＣＩフォーマットを検出すると、当該ＤＣＩフォーマットに含まれるＳＦＩフィールドに従って、スロット＃１−＃５のスロットフォーマットを特定する。
【００２７】
ところで、ＮＲでは、ＵＥが複数の周波数領域を同時に及び／又は切り替えて用いることが検討されている。例えば、ＵＥは１つ又は複数のコンポーネントキャリア（ＣＣ：Component  Carrier）を用いるように設定されてもよいし、ＣＣに含まれる１つ又は複数の帯域幅部分（ＢＷＰ：BandWidth  Part）を用いるように設定されてもよい。ここで、ＢＷＰは、ＮＲにおいて設定されるＣＣ内の、１つ以上の部分的な周波数帯域に該当する。ＢＷＰは、部分周波数帯域、部分帯域などと呼ばれてもよい。
【００２８】
ＵＥは、ＢＷＰのアクティブ化（activation）及び非アクティブ化（deactivation）を制御してもよい。ここで、ＢＷＰのアクティブ化とは、当該ＢＷＰを利用可能な状態である（又は当該利用可能な状態に遷移する）ことであり、ＢＷＰの設定情報（configuration）（ＢＷＰ設定情報）のアクティブ化又は有効化などとも呼ばれる。また、ＢＷＰの非アクティブ化とは、当該ＢＷＰを利用不可能な状態である（又は当該利用不可能な状態に遷移する）ことであり、ＢＷＰ設定情報の非アクティブ化又は無効化などとも呼ばれる。
【００２９】
ＵＥは、設定された複数のＢＷＰの中の一部のＢＷＰ（例えば、１つのＢＷＰ）をアクティブ化する場合、ＢＷＰを切り替えてデータの送受信を制御する。ＢＷＰの切り替え制御としては、ＢＷＰの切り替えをＵＥに指示して制御する方法と、タイマの満了に基づいてＢＷＰの切り替えを制御する方法が想定される。アクティブなＢＷＰを切り替えることは、ＢＷＰスイッチングなどと呼ばれてもよい。
【００３０】
しかしながら、このような複数の周波数領域を用いる場合に、各領域のスロットフォーマットをどのように判断するかについては、まだ検討が進んでいない。適切なスロットフォーマット判断方法を用いなければ、ＵＥが伝送方向を誤って判断してしまい、通信スループット、周波数利用効率などの劣化が生じるおそれがある。
【００３１】
そこで、本発明者らは、複数の周波数領域を用いる場合であっても、各領域に関連するスロットフォーマットを適切に判断するためのＤＣＩフォーマットの構成を着想した。
【００３２】
以下、本発明に係る実施形態について、図面を参照して詳細に説明する。各実施形態に係る無線通信方法は、それぞれ単独で適用されてもよいし、組み合わせて適用されてもよい。
【００３３】
（無線通信方法）
＜第１の実施形態＞
第１の実施形態においては、ＳＦＩ用ＤＣＩフォーマットに含まれるＳＦＩフィールドはＵＥ固有（UE-specific）である。なお、「ＵＥ固有」は、「ＵＥに関連付けられている」、「ＵＥ個別の上位レイヤシグナリングで設定される」などの文言で読み替えられてもよい。
【００３４】
ＳＦＩ用ＤＣＩフォーマットに含まれるＳＦＩフィールドは、１つ又は複数のサービングセル内のＵＥにスロットフォーマットを通知するために、ＵＥごとに設定されてもよい。
【００３５】
ＳＦＩ用ＤＣＩフォーマットには、別々のＳＦＩフィールドが、それぞれ異なる複数のＵＥのスロットフォーマットを指示するために含まれてもよい。例えば、複数のＳＦＩフィールドは、それぞれ別々のＵＥに設定されるＣＣに対応しており、ＵＥは、セルインデックス、キャリア周波数（中心周波数、周波数帯域幅など）などの情報に基づいて、これらの周波数領域を特定してもよい。
【００３６】
第１の実施形態において、複数のＵＥが同じＣＣを用いる場合、これらのＵＥは当該ＣＣについて同じスロットフォーマットを用いてもよいし、異なるスロットフォーマットを用いてもよい。
【００３７】
また、１つのＵＥが複数のＣＣを用いる場合、当該ＵＥはこれらのＣＣについて同じスロットフォーマットを用いてもよいし、異なるスロットフォーマットを用いてもよい。ＵＥは、１つのＳＦＩフィールドを参照して複数のＣＣのスロットフォーマットを判断してもよい。例えば、ＵＥは、１つのＳＦＩフィールドが示す同じスロットフォーマットを複数のＣＣにおいて用いてもよい。当該構成によれば、ＳＦＩ用ＤＣＩフォーマットのサイズの増大を好適に抑制できる。
【００３８】
図２は、第１の実施形態に係るＳＦＩ用ＤＣＩフォーマットの構成の一例を示す図である。本例では、ＵＥ１及びＵＥ２が同じ２つのＣＣの組（ＣＣ１及びＣＣ２）を設定され、ＵＥ３が別の２つのＣＣの組（ＣＣ３及びＣＣ４）を設定される場合を想定する。なお、全てのＵＥが常に複数のＣＣを設定されていなくてもよい。
【００３９】
図２に示される「ＳＦＩ１」から「ＳＦＩＸ」は、それぞれ特定のＵＥの特定のＣＣのためのスロットフォーマットを指示するために用いられるＳＦＩフィールドである。
【００４０】
例えば、図２のＳＦＩ１フィールドは、ＵＥ１の第１のＣＣ（例えば、ＣＣ１）のためのスロットフォーマットを指定するためのフィールドであり、ＳＦＩ２フィールドは、ＵＥ１の第２のＣＣ（例えば、ＣＣ２）のためのスロットフォーマットを指定するためのフィールドである。
【００４１】
図２のＳＦＩ３フィールドは、ＵＥ２の第１のＣＣ（例えば、ＣＣ１）のためのスロットフォーマットを指定するためのフィールドであり、ＳＦＩ４フィールドは、ＵＥ２の第２のＣＣ（例えば、ＣＣ２）のためのスロットフォーマットを指定するためのフィールドである。
【００４２】
図２のＳＦＩ５フィールドは、ＵＥ３の第１のＣＣ（例えば、ＣＣ３）のためのスロットフォーマットを指定するためのフィールドであり、ＳＦＩ６フィールドは、ＵＥ３の第２のＣＣ（例えば、ＣＣ４）のためのスロットフォーマットを指定するためのフィールドである。
【００４３】
図２のＳＦＩＸフィールドは、ＵＥＹの第ＮのＣＣのためのスロットフォーマットを指定するためのフィールドである。図２では省略しているが、他のＵＥ（及び／又は他のＵＥのＣＣ）のためのＳＦＩフィールドが含まれてもよい。
【００４４】
なお、図２では特定のＵＥのためのＳＦＩフィールドは連続するビットフィールドとして示されているが、フィールドの並び順はこれに限られない。以降の例でも同様である。
【００４５】
ＵＥは、ＳＦＩ用ＤＣＩフォーマットの設定情報を、例えば上位レイヤシグナリング（ＲＲＣシグナリングなど）を用いて通知されてもよく、当該設定情報に基づいて、当該ＤＣＩフォーマットに従うＤＣＩから特定のＵＥ（及び／又は特定のＵＥのＣＣ）のスロットフォーマットを判断してもよい。
【００４６】
ＳＦＩ用ＤＣＩフォーマットの設定情報は、例えば以下の少なくとも１つを特定するための情報を含んでもよい：
（１）当該ＤＣＩフォーマットのペイロードサイズ（総ビット数。なお、ＣＲＣビット数を含まなくてもよいし、ＣＲＣビット数を含んでもよい）、
（２）当該ＤＣＩフォーマットに含まれる１つ又は複数のＳＦＩフィールドそれぞれのペイロードサイズ（総ビット数）、
（３）当該ＤＣＩフォーマットに含まれる所定のＵＥ（及び／又は所定のＵＥの所定のＣＣ）のためのＳＦＩフィールドのサイズ及び／又はビット位置（例えば、開始位置、終了位置など）、
（４）当該ＤＣＩフォーマットに含まれる所定のＵＥ（及び／又は所定のＵＥの所定のＣＣ）のためのＳＦＩフィールドの値とスロットフォーマットとの対応関係、
（５）当該ＤＣＩフォーマットに含まれるＳＦＩフィールドの数、
（６）当該ＤＣＩフォーマットに含まれるＳＦＩフィールドに対応するＵＥ及び／又はＣＣの数。
【００４７】
なお、ＳＦＩ用ＤＣＩフォーマットは、特定のフラグ用のフィールドを含んでもよい。ＵＥは、当該特定のフラグ用のフィールドの値に基づいて、例えば検出したＤＣＩフォーマットがＳＦＩ用ＤＣＩフォーマットか否かを判断してもよい。当該特定のフラグ用のフィールドは、図２では１ビットで表現されているが、ビット数はこれに限られない。
【００４８】
複数のＳＦＩフィールドは同じサイズであってもよい。また、ＳＦＩ用ＤＣＩフォーマットは、パディングビットを含んでもよい。パディングビットの利用によって、一旦当該ＤＣＩフォーマットのペイロードサイズが設定された後に、ＳＦＩフィールドのペイロードサイズが変動する場合であっても、ＵＥは当該ＤＣＩフォーマットのサイズが固定であると想定できる。パディングビットは、図２ではＭビットで表現されているが、ビット数はこれに限られない。
【００４９】
以上説明した第１の実施形態によれば、ＳＦＩ用ＤＣＩフォーマットが、当該ＤＣＩを検出する各ＵＥのためのＳＦＩフィールドを区別して含むため、ＵＥは、設定された周波数領域において想定すべきスロットフォーマットを好適に判断できる。
【００５０】
＜第２の実施形態＞
第２の実施形態においては、ＳＦＩ用ＤＣＩフォーマットに含まれるＳＦＩフィールドはセル固有（cell-specific）である。なお、「セル固有」は、「セル（ＣＣ）に関連付けられている」、「セル固有の上位レイヤシグナリングによって設定される」、「ＵＥ共通」、「ＵＥグループ共通」などの文言で読み替えられてもよい。
【００５１】
ＳＦＩ用ＤＣＩフォーマットに含まれるＳＦＩフィールドは、１つ又は複数のサービングセル内のＵＥにスロットフォーマットを通知するために、セル（又はＵＥグループ）ごとに設定されてもよい。以下では、当該セルのことをＣＣとも呼称する。
【００５２】
ＳＦＩ用ＤＣＩフォーマットには、別々のＳＦＩフィールドが、それぞれ異なる複数のＣＣのスロットフォーマットを指示するために含まれてもよい。例えば、複数のＳＦＩフィールドは、それぞれ具体的な周波数領域に対応しており、ＵＥは、キャリア周波数（中心周波数、周波数帯域幅など）などの情報に基づいて、これらの周波数領域を特定してもよい。
【００５３】
言い換えると、第２の実施形態のＳＦＩ用ＤＣＩフォーマットに含まれるＳＦＩフィールドは、サービングセル内のキャリアに関連付けられているが、当該キャリアがサービングセル内の特定のＵＥに設定されたか否かを区別しない（特定のＵＥと明示的に関連付けられていない）構成となっている。
【００５４】
第２の実施形態において、複数のＵＥが同じＣＣを用いる場合、当該ＣＣについてこれらのＵＥは同じスロットフォーマットを用いる。
【００５５】
図３は、第２の実施形態に係るＳＦＩ用ＤＣＩフォーマットの構成の一例を示す図である。本例では、図２と同様に、ＵＥ１及びＵＥ２が同じ２つのＣＣ（ＣＣ１及びＣＣ２）を設定され、ＵＥ３が別の２つのＣＣ（ＣＣ３及びＣＣ４）を設定される場合を想定する。
【００５６】
図３に示される「ＳＦＩ１」から「ＳＦＩＸ」は、それぞれ特定のＣＣのためのスロットフォーマットを指示するために用いられるＳＦＩフィールドである。
【００５７】
例えば、図３のＳＦＩ１−４フィールドは、それぞれＣＣ１−４のためのスロットフォーマットを指定するためのフィールドである。例えば、ＳＦＩ１フィールドは、ＣＣ１を設定される全てのＵＥ（ここではＵＥ１及びＵＥ２）によって、ＣＣ１のためのＳＦＩとして用いられる。
【００５８】
図３のＳＦＩＸフィールドは、ＣＣＮのためのスロットフォーマットを指定するためのフィールドである。図３では省略しているが、他のＣＣのためのＳＦＩフィールドが含まれてもよい。なお、フィールドの並び順は図３の例に限られない。
【００５９】
ＵＥは、第１の実施形態において上述したようなＳＦＩ用ＤＣＩフォーマットの設定情報を通知されてもよく、当該設定情報に基づいて、当該ＤＣＩフォーマットに従うＤＣＩから特定のＣＣのスロットフォーマットを判断してもよい。なお、当該設定情報の「所定のＵＥ（及び／又は所定のＵＥの所定のＣＣ）」は、「所定のＣＣ」で読み替えられてもよい。
【００６０】
図３における特定のフラグ用のフィールド及びパディングビットは、図２の例と同様であってもよい。
【００６１】
以上説明した第２の実施形態によれば、ＳＦＩ用ＤＣＩフォーマットが、当該ＤＣＩを検出する１つ又は複数のＵＥが利用するＣＣごとのＳＦＩフィールドを区別して含むため、ＵＥは、設定された周波数領域において想定すべきスロットフォーマットを好適に判断できる。
【００６２】
＜第３の実施形態＞
第３の実施形態においては、ＳＦＩ用ＤＣＩフォーマットに含まれる１つ又は複数のＳＦＩフィールドがＵＥ固有であるかセル固有であるかが、上位レイヤシグナリングの設定によって決定される。
【００６３】
ＳＦＩ用ＤＣＩフォーマットに含まれるＳＦＩフィールドは、１つ又は複数のサービングセル内のＵＥにスロットフォーマットを通知するために、セル（又はＵＥグループ）ごとに設定されてもよい。
【００６４】
ＳＦＩ用ＤＣＩフォーマットには、別々のＳＦＩフィールドが、それぞれ異なる複数のＣＣのスロットフォーマットを指示するために含まれてもよい。
【００６５】
第３の実施形態において、複数のＵＥが同じＣＣを用いる場合、これらのＵＥは当該ＣＣについて同じスロットフォーマットを用いてもよいし、異なるスロットフォーマットを用いてもよい。
【００６６】
また、１つのＵＥが複数のＣＣを用いる場合、当該ＵＥはこれらのＣＣについて同じスロットフォーマットを用いてもよいし、異なるスロットフォーマットを用いてもよい。
【００６７】
図４は、第３の実施形態に係るＳＦＩ用ＤＣＩフォーマットの構成の一例を示す図である。本例では、図２と同様に、ＵＥ１及びＵＥ２が同じ２つのＣＣ（ＣＣ１及びＣＣ２）を設定され、ＵＥ３が別の２つのＣＣ（ＣＣ３及びＣＣ４）を設定される場合を想定する。
【００６８】
図４に示される「ＳＦＩ１」から「ＳＦＩＸ」は、それぞれ特定のＣＣのためのスロットフォーマットを指示するために用いられるＳＦＩフィールドである。本例において、ＳＦＩ１はセル固有のフィールドであり、その他のＳＦＩはＵＥ固有のフィールドである。
【００６９】
例えば、図４のＳＦＩ１フィールドは、ＣＣ１（ＵＥ１の第１のＣＣ及びＵＥ２の第１のＣＣに対応）のためのスロットフォーマットを指定するためのフィールドである。
【００７０】
図４のＳＦＩ２フィールドは、ＵＥ１の第２のＣＣ（ここでは、ＣＣ２）のためのスロットフォーマットを指定するためのフィールドであり、ＳＦＩ３フィールドは、ＵＥ２の第２のＣＣ（ここでは、ＣＣ２）のためのスロットフォーマットを指定するためのフィールドである。
【００７１】
図４のＳＦＩ４フィールドは、ＵＥ３の第１のＣＣ（例えば、ＣＣ３）のためのスロットフォーマットを指定するためのフィールドであり、ＳＦ５フィールドは、ＵＥ３の第２のＣＣ（例えば、ＣＣ４）のためのスロットフォーマットを指定するためのフィールドである。
【００７２】
図４のＳＦＩＸフィールドは、ＵＥＹの第ＮのＣＣのためのスロットフォーマットを指定するためのフィールドである。図４では省略しているが、他のＵＥ（及び／又は他のＵＥのＣＣ）のためのＳＦＩフィールドが含まれてもよい。
【００７３】
図４における特定のフラグ用のフィールド及びパディングビットは、図２の例と同様であってもよい。
【００７４】
ＵＥは、第１の実施形態において上述したようなＳＦＩ用ＤＣＩフォーマットの設定情報を通知されてもよく、当該設定情報に基づいて、当該ＤＣＩフォーマットに従うＤＣＩから特定のＣＣのスロットフォーマットを判断してもよい。なお、当該設定情報の「所定のＵＥ（及び／又は所定のＵＥの所定のＣＣ）」は、「所定のＣＣ」で読み替えられてもよい。
【００７５】
また、第３の実施形態における当該設定情報は、当該ＤＣＩフォーマットに含まれる所定のＳＦＩフィールドがＵＥ固有であるかセル固有であるかに関する情報を含んでもよい。当該情報は、例えばＵＥ固有を‘１’及びセル固有を‘０’で表した、ＳＦＩフィールドの数に対応する長さのビットマップで示されてもよい。
【００７６】
以上説明した第３の実施形態によれば、ＳＦＩ用ＤＣＩフォーマットが、ＵＥに直接紐付けられたＳＦＩフィールド及びＣＣに直接紐付けられたＳＦＩフィールドを使い分けることができるため、当該ＤＣＩのサイズと制御の柔軟さとのトレードオフを好適に調整できる。
【００７７】
＜変形例＞
上述の各実施形態においては、１つのＳＦＩフィールドが１つのＣＣ（セル）に対応する例を示したが、これに限られない。１つのＳＦＩフィールドは複数の周波数領域に関連付けられてもよい。
【００７８】
例えば、１つのＳＦＩフィールドは複数のＣＣに関連付けられてもよい。図２の例において、ＳＦＩ１フィールドがＵＥ１の第１及び第２のＣＣの両方のためのスロットフォーマットを指示するために用いられてもよい。また、図３の例において、ＳＦＩ１フィールドがＣＣ１及びＣＣ２の両方のためのスロットフォーマットを指示するために用いられてもよい。
【００７９】
また、ＣＣについて１つ又は複数のＢＷＰが設定される場合には、ＳＦＩフィールドは当該ＣＣの１つ又は複数のＢＷＰに関連付けられてもよい。例えば、ＵＥが、あるＣＣに関してＭ個のＢＷＰ設定を設定された場合、ＵＥは当該ＣＣのために、それぞれ別々のＢＷＰ設定に関連付けられたＭ個のＳＦＩフィールドを設定されてもよい。
【００８０】
当該ＳＦＩフィールドは、第１の実施形態のようにサービングセル内のユーザ端末に関連付けられてもよいし（例えば、ＵＥに設定されたＢＷＰ設定（又はＢＷＰインデックス、ＢＷＰ  ＩＤなど）ごとのＳＦＩフィールドが通知されてもよいし）、第２の実施形態のようにサービングセル内のキャリアに関連付けられてもよい（例えば、セル内で利用されるキャリアごとのＳＦＩフィールドが通知されてもよい）。
【００８１】
図５は、第２の実施形態の変形例に係るＳＦＩ用ＤＣＩフォーマットの構成の一例を示す図である。本例では、ＣＣ１に３つのＢＷＰが設定され、ＣＣ２に２つのＢＷＰが設定され、ＣＣ３に４つのＢＷＰが設定される場合を想定する。
【００８２】
図５に示される「ＳＦＩｉ」（ｉ＝１、…、７、…）は、それぞれ特定のＣＣ内の特定のＢＷＰのためのスロットフォーマットを指示するために用いられるＳＦＩフィールドである。
【００８３】
例えば、図５のＳＦＩ１−３フィールドは、それぞれＣＣ１のＢＷＰ１−３のためのスロットフォーマットを指定するためのフィールドである。図５のＳＦＩ４−５フィールドは、それぞれＣＣ２のＢＷＰ１−２のためのスロットフォーマットを指定するためのフィールドである。図５のＳＦＩ６−７フィールドは、それぞれＣＣ３のＢＷＰ１及び２、並びにＢＷＰ３及び４のためのスロットフォーマットを指定するためのフィールドである。
【００８４】
ＳＦＩ用ＤＣＩフォーマットに複数のＢＷＰにそれぞれ対応するＳＦＩフィールドを含める上記のような構成によれば、ＳＦＩモニタリング周期の途中でＢＷＰスイッチングが生じた場合であっても、適切なスロットフォーマット制御が可能になる。例えば、ＵＥは、当該ＢＷＰスイッチングまでの期間では変更前のＢＷＰに関するＳＦＩフィールドを参照し、当該ＢＷＰスイッチング後の期間では変更後のＢＷＰに関するＳＦＩフィールドを参照できる。
【００８５】
＜変形例２＞
ＵＥは、所定の条件が満たされる場合には、検出するＳＦＩ用ＤＣＩフォーマットが上述の実施形態のいずれかのＳＦＩ用ＤＣＩフォーマットに該当すると想定してもよい。
【００８６】
例えば、上述したようなＳＦＩ用ＤＣＩフォーマットの設定情報によって特定される値のうち、１つ又は複数が、それぞれ対応する閾値を超える（又は以上である、若しくは以下である、若しくは未満である）又は対応する値の範囲に含まれる（又は範囲に含まれない）場合に、検出するＳＦＩ用ＤＣＩフォーマットが上述の実施形態のいずれかのＳＦＩ用ＤＣＩフォーマットに該当すると想定してもよい。
【００８７】
ここで、当該閾値、当該値の範囲などの情報は、例えば上位レイヤシグナリングによってＵＥに通知されてもよいし、ＵＥが判断してもよい。
【００８８】
ＵＥは、ＳＦＩ用ＤＣＩフォーマットのペイロードサイズ（SFI-DCI-payload-lengthなどと表されてもよい）が第１の値以下（又は未満）であり、かつ当該ＤＣＩフォーマットに含まれるＳＦＩフィールドの数（又はＳＦＩフィールドに対応するＵＥ及び／又はＣＣの数）が第２の値を超える（又は以上である）場合、検出するＳＦＩ用ＤＣＩフォーマットは上記第２の実施形態のＳＦＩ用ＤＣＩフォーマットに該当すると想定してもよい。
【００８９】
変形例２の構成によれば、検出するＳＦＩ用ＤＣＩフォーマットが上述の実施形態のいずれかのＳＦＩ用ＤＣＩフォーマットに該当することを明示的に通知しなくても、ＳＦＩに対応する周波数領域を好適に特定できる。なお、ＳＦＩ用ＤＣＩフォーマットの設定情報の少なくとも一部は、明示的にＵＥに通知されてもよいし、暗示的にＵＥに通知されてもよいし、通知されなくてもよい。
【００９０】
第１−第３の実施形態のＳＦＩ用ＤＣＩフォーマットは、例えばそれぞれＳＦＩ用ＤＣＩフォーマットタイプ０−２などと呼ばれてもよい。
【００９１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００９２】
図６は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００９３】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００９４】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９５】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００９６】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９７】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９８】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００９９】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１００】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１０１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１０２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１０３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１０４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１０５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１０６】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１０７】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０８】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１０９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１１０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１１１】
（無線基地局）
図７は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１２】
下りリンクによって無線基地局１０からユーザ端末２０に送信されるユーザデータは、上位局装置３０から伝送路インターフェース１０６を介してベースバンド信号処理部１０４に入力される。
【０１１３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１１４】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１１５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１８】
送受信部１０３は、周波数領域（例えば、キャリア、ＣＣ、ＢＷＰ、ＲＢ、サブキャリア、サブバンドなどの少なくとも１つ）に関連するスロットフォーマットを指示する指示情報（ＳＦＩ）を、１つ又は複数の周波数領域に関して含む下り制御情報（ＤＣＩ）を送信してもよい。例えば、当該ＤＣＩは、複数のＳＦＩを含み、各ＳＦＩは、それぞれ異なる周波数領域のスロットフォーマットに関連してもよい。当該ＤＣＩは、第１のＣＣに関連する第１のＳＦＩと、第２のＣＣに関連する第２のＳＦＩと、を含んでもよい。当該ＤＣＩは、ＳＦＩ用ＤＣＩフォーマットと呼ばれてもよい。
【０１１９】
送受信部１０３は、ＳＦＩ用ＤＣＩフォーマットの設定情報などを、ユーザ端末２０に対して送信してもよい。
【０１２０】
図８は、本開示の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１２１】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１２２】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１２３】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１２４】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１２５】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１２６】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１２７】
制御部３０１は、周波数領域（例えば、キャリア、ＣＣ、ＢＷＰ、ＲＢ、サブキャリア、サブバンドなどの少なくとも１つ）に関連するスロットフォーマットを指示する指示情報（ＳＦＩ）を、１つ又は複数の周波数領域に関して含む下り制御情報（ＤＣＩ）をユーザ端末２０に送信する制御を行ってもよい。
【０１２８】
制御部３０１は、上記ＤＣＩに、サービングセル内の少なくとも１つのユーザ端末２０及びサービングセル内の少なくとも１つのキャリア（当該キャリアは、上述の周波数領域で読み替えられてもよい）の一方又は両方に関連付けられたＳＦＩを含めてもよい。制御部３０１は、上記ＤＣＩに、ＢＷＰに関連付けられたＳＦＩを含めてもよい。
【０１２９】
制御部３０１は、上記ＤＣＩに含まれる特定のＳＦＩが、サービングセル内の少なくとも１つのユーザ端末２０に関連付けられるか当該セル内の少なくとも１つのキャリアに関連付けられるかを示す情報を、上位レイヤシグナリングによってユーザ端末２０に設定してもよい。
【０１３０】
制御部３０１は、上記ＤＣＩのペイロードサイズが第１の値以下であり、かつ上記ＤＣＩに含まれるＳＦＩフィールドの数が第２の値を超える場合、上記ＤＣＩを、サービングセル内の少なくとも１つのキャリア（当該キャリアは、上述の周波数領域で読み替えられてもよい）に関連付けられたＳＦＩを含むように構成してもよい。
【０１３１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１３２】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１３３】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１３４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１３５】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１３６】
測定部３０５は、受信した信号に関する測定を実施する。測定部３０５は、本開示に係る技術分野での共通認識に基づいて説明される測定器、測定回路又は測定装置から構成することができる。
【０１３７】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３８】
（ユーザ端末）
図９は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１４２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１４３】
送受信部２０３は、周波数領域（例えば、キャリア、ＣＣ、ＢＷＰ、ＲＢ、サブキャリア、サブバンドなどの少なくとも１つ）に関連するスロットフォーマットを指示する指示情報（ＳＦＩ）を、１つ又は複数の周波数領域に関して含む下り制御情報（ＤＣＩ）を受信してもよい。例えば、当該ＤＣＩは、複数のＳＦＩを含み、各ＳＦＩは、それぞれ異なる周波数領域のスロットフォーマットに関連してもよい。当該ＤＣＩは、第１のＣＣに関連する第１のＳＦＩと、第２のＣＣに関連する第２のＳＦＩと、を含んでもよい。当該ＤＣＩは、ＳＦＩ用ＤＣＩフォーマットと呼ばれてもよい。
【０１４４】
なお、異なる周波数領域の「異なる」とは、これらの周波数領域が異なるＵＥに設定される観点から「異なる」ことを意味してもよいし、これらの周波数領域に関するパラメータ（例えば、セルインデックス、キャリア周波数（中心周波数、周波数帯域幅など））が異なる観点から「異なる」ことを意味してもよい。
【０１４５】
送受信部２０３は、ＳＦＩ用ＤＣＩフォーマットの設定情報などを、無線基地局１０から受信してもよい。
【０１４６】
図１０は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１４７】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４８】
制御部４０１は、ユーザ端末２０全体の制御を実施する。制御部４０１は、本開示に係る技術分野での共通認識に基づいて説明されるコントローラ、制御回路又は制御装置から構成することができる。
【０１４９】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５０】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５１】
制御部４０１は、受信信号処理部４０４から取得した所定の下り制御情報（ＤＣＩ）に基づいて、周波数領域（例えば、キャリア、ＣＣ、ＢＷＰ、ＲＢ、サブキャリア、サブバンドなどの少なくとも１つ）に関連するスロットフォーマットを指示する指示情報（ＳＦＩ）を特定する。また、制御部４０１は、当該ＳＦＩに対応する周波数領域を特定し、当該特定した周波数領域において用いられる伝送方向（ＤＬ、ＵＬ、フレキシブルなど）を、上記ＳＦＩが指示するスロットフォーマットに従って判断する。
【０１５２】
ここで、上記ＤＣＩは、サービングセル内の少なくとも１つのユーザ端末２０及びサービングセル内の少なくとも１つのキャリア（当該キャリアは、上述の周波数領域で読み替えられてもよい）の一方又は両方に関連付けられたＳＦＩを含んでもよい。上記ＤＣＩは、ＢＷＰに関連付けられたＳＦＩを含んでもよい。
【０１５３】
制御部４０１は、上記ＤＣＩに含まれる特定のＳＦＩが、サービングセル内の少なくとも１つのユーザ端末２０に関連付けられるか当該セル内の少なくとも１つのキャリアに関連付けられるかを、上位レイヤシグナリングによって通知された設定に基づいて判断してもよい。
【０１５４】
制御部４０１は、上記ＤＣＩのペイロードサイズが第１の値以下であり、かつ上記ＤＣＩに含まれるＳＦＩフィールドの数が第２の値を超える場合、上記ＤＣＩが、サービングセル内の少なくとも１つのキャリア（当該キャリアは、上述の周波数領域で読み替えられてもよい）に関連付けられたＳＦＩを含むと想定して送信及び／又は受信処理を制御してもよい。
【０１５５】
また、制御部４０１は、無線基地局１０から通知された各種情報を受信信号処理部４０４から取得した場合、当該情報に基づいて制御に用いるパラメータを更新してもよい。
【０１５６】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１５７】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５８】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１５９】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６０】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６１】
測定部４０５は、受信した信号に関する測定を実施する。測定部４０５は、本開示に係る技術分野での共通認識に基づいて説明される測定器、測定回路又は測定装置から構成することができる。
【０１６２】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１６３】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１６４】
例えば、本開示の一実施形態における無線基地局、ユーザ端末などは、本開示の無線通信方法の処理を行うコンピュータとして機能してもよい。図１１は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１６７】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１６８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１７１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７６】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７７】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１７８】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１７９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８１】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１８４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８８】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８９】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９０】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９１】
また、情報、信号などは、上位レイヤから下位レイヤ、及び／又は下位レイヤから上位レイヤへ出力され得る。情報、信号などは、複数のネットワークノードを介して入出力されてもよい。
【０１９２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９３】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１９９】
本明細書において使用する「システム」及び「ネットワーク」という用語は、互換的に使用される。
【０２００】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０２】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２０３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０４】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２０５】
同様に、本明細書におけるユーザ端末は、無線基地局で読み替えてもよい。この場合、上述のユーザ端末２０が有する機能を無線基地局１０が有する構成としてもよい。
【０２０６】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０７】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２０８】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２０９】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１０】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１１】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１２】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２１３】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２１４】
本明細書において、「ＡとＢが異なる」という用語は、「ＡとＢが互いに異なる」ことを意味してもよい。「離れる」、「結合される」などの用語も同様に解釈されてもよい。
【０２１５】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２１６】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019135287.tif 000003
【図２】
2019135287.tif 000004
【図３】
2019135287.tif 000005
【図４】
2019135287.tif 000006
【図５】
2019135287.tif 000007
【図６】
2019135287.tif 000008
【図７】
2019135287.tif 000009
【図８】
2019135287.tif 000010
【図９】
2019135287.tif 000011
【図１０】
2019135287.tif 000012
【図１１】
2019135287.tif 000013
【国際調査報告】
2019135287.tif 000014
2019135287.tif 000015
2019135287.tif 000016
2019135287.tif 000017